(57)【要約】      （修正有）【課題】登山やトレッキングの途中で熊や猪に遭遇した場合、自分より巨大なものを襲うことをためらうという性質を利用して、身近に持っている登山ストックで身を隠し大きく見せる傘付き登山ストックを提供する。【解決手段】傘を閉じ傘布止めバンドをして登山ストックとして使用している状態から、いざという時、とっさに傘を開き石突４を熊や猪の方向に向けて身を隠す。傘布の頂点近くの透明なのぞき窓から観察しながら後ずさりしてその場から遠ざかる。それでもなお襲われそうな時は、投光器のスイッチ２１や小型ＬＥＤライトのスイッチを入れて一定方向に向かって光を発するＬＥＤライトで目を眩ませて撃退する。それでも襲われそうならば、石突４で鼻の部分を突き戦う。適切な正しい使用をするならば投光器に替えてレーザーポインターを使用して、熊や猪に襲われた時に目を眩ませて退散させる事も命を守る為には可能かどうか考慮される。【選択図】図２
2019098126.tif 000002
【特許請求の範囲】
【請求項１】
登山スットクを傘の中軸に使用した傘付き登山ストック。
【請求項２】
登山スットクのシャフトの石突（４）側の下部シャフト（１）にジョイントプラグ（３）を介して嵌合するグリップ（５）側の上部シャフト（２）を設け、下部シャフト（１）を折り畳み傘の中軸に使用した請求項１に記載の傘付き登山ストック。
【請求項３】
登山ストックの下部シャフト（１）の石突側の中空部にＬＥＤライトの投光器（１７）を設け、傘の頂点にある円錐形の陣笠（８）の先端部をＬＥＤライトの光を投光する透明な素材の形態とした請求項１に記載の傘付き登山ストック。
【請求項４】
登山ストックの下部シャフト（１）に付いている傘の傘布（１０）の先端の露先（１１）に小型のＬＥＤライト（２５）を設けた請求項１に記載の傘付き登山ストック。
【発明の詳細な説明】
【技術分野】
【０００１】  本発明は、傘の機能を設けた登山ストックに関するものである。
【背景技術】
【０００２】  登山やトレッキング、山菜採りの途中に熊や猪に遭遇し時には運悪く襲われることがある。人を襲う原因には不意に人と出会った時の不快感から興奮しての先制攻撃や、子連れの場合は子を守る為の先制攻撃がある。その他にも何かのストレスで苛立っていたり戯れで襲ってくる場合や、食べる為に襲ってくる事もある。近年、里山から人の住居近くまで熊や猪が出没する事も増えている。【０００３】  対策としては、クマよけ鈴やラジオで音を立てて人の位置を知らせて近寄ってこないようにして不意の遭遇を避ける方法や、遭遇した場合も慌てずに背を見せずに静かに後ずさりして遠ざかる事が重要である。【０００４】  しかし、鈴やラジオで常時音たてていると辺りの音の異常が感知し難いのでかえって悪い場合や、風下に位置しているときや、人食いタイプを追い払うのは難しい。熊撃退スプレーにしても射程距離は４メートル程度であり、熊や猪がそれより離れた距離から一気に詰め寄り襲い掛かって来て近ずいてしまえばスプレー程度では怯まないと見なければいけない。
【発明の概要】
【発明が解決しようとする課題】
【０００５】  解決しようとする問題点は、クマよけ鈴や熊撃退スプレーの効果以外の方法として、登山やトレッキング、山菜採りの途中で不意に熊や猪に遭遇した場合、自分より巨大なものを襲うことをためらうという性質を利用して、身近に持っている登山ストックでとっさに身を隠し大きく見せる為、本発明の傘付き登山ストックを提供することにある。
【課題を解決するための手段】
【０００６】  本発明の傘付き登山ストックは、熊や猪に遭遇した場合身近に持っている登山ストックに付いている傘を素早く広げる事が出来るので、身を隠し、自分より大きく見せかける事を特徴とする。
【発明の効果】
【０００７】  熊や猪に遭遇した場合慌てて背を見せて逃げ出すと、逃げるものを追うという習性で本能的に追ってきて襲われる事があるので、逃げずに身近に持っている本発明の傘付き登山ストックの傘を熊や猪の方へ向かって開き、自分より大きいものに見せかけ襲うことを躊躇させる事が期待される。たとえ雨傘をリックに持参していたとしても、とっさに雨傘を取り出すには時間が掛かってしまう。傘布（１０）の頂点周辺に設けた透明な生地ののぞき窓（１０’）から覗き観察しながら、静かに後ずさりしてその場から遠ざかる事が可能である。【０００８】  それでもなお近ずいてくるようであれば実施例２の、投光器（１７）のスイッチ（２１）を入れてＬＥＤライト（１８）の一定方向に向かって光を発する性質で目を眩ませて、退散させる事も可能である。【０００９】  実施例３の、露先（１１）に設けた小型ＬＥＤライト（２５）のスイッチ（２３）を入れて点灯すると、より大きなものに見せ掛ける事にもなり、襲うことを躊躇させることが期待できる。また、夕暮れや夜間に道に迷い遭難し、捜索をして貰う事になってしまった場合にはＬＥＤライトの光で位置を知らせる事に役立つ。
【図面の簡単な説明】
【００１０】
【図１】  本発明に係る傘付き登山ストックの傘を閉じた状態の実施例１の側面図である。
【図２】  下部シャフト（１）の石突側の中空部にＬＥＤライトの投光器（１７）を設けた実施例２の一部縦断説明的参考図である。
【図３】  下部シャフト（１）に付いている傘の傘布（１０）の先端の露先（１１）に小型のＬＥＤライト（２５）を設けた実施例３の斜視図である。
【図４】  投光器（１７）及び小型ＬＥＤライト用の電源電池（２２）の断面説明的参考図である。
【発明を実施するための形態】
【００１１】  図１は、本発明に係る傘付き登山ストックの傘を閉じ傘布止めバンド（１２）で止めて、登山ストックとして使用する実施例１を示す。
【００１２】  図２は、下部シャフト（１）を中軸に使用した折り畳み傘（７）を開き、下部シャフト（１）に嵌合する上部シャフト（２）を引き伸ばした状態の実施例２を示す。下部シャフト（１）の中空部に設けた投光器（１７）の電源電池（１９）と投光器のコード（２０）で繋がるＬＥＤライト（１８）は陣笠（８）内部に石突（４）の根元を囲むように複数個を配置する。陣笠（８）の先端部はＬＥＤライトの光を透す透明な素材の形態を有し、陣笠（８）の底面近くには反射板の形態でＬＥＤライトの底部を嵌合固定する穴（８”）を有する反射板（８’）を設ける。投光器のスイッチ（２１）は下部シャフト（１）に設けたスイッチ用の穴（２１’）に嵌合する。傘布（１０）は不透明な生地でなるが、傘布の一部頂点部周辺に透明な生地ののぞき窓（１０’）の形態を有する。
【００１３】  適切な正しい使用をするならば投光器に替えてレーザーポインターを使用して、熊や猪に襲われた時に目を眩ませて退散させる事も命を守る為には可能かどうか考慮される。傘の開閉はワンプッシュ式にする事も可能である。
【００１４】  図３は、傘を開いた状態の露先（１１）の内部に小型ＬＥＤライト（２５）を設けた実施例３を示す。下部シャフト（１）の中空部に設けた小型ＬＥＤライト（２５）用の電源電池（２２）と小型ＬＥＤライトのスイッチ（２３）を傘の骨（９）に沿って配置した小型ＬＥＤライト用のコード（２４）を介して露先（１１）の内部に設けた小型ＬＥＤライト（２５）に配線する。小型ＬＥＤライト（２５）は複数個、各露先（１１）毎に設ける。
【００１５】  図４は、投光器（１７）及び小型ＬＥＤライト用の電源電池（２２）の断面説明的参考図である。下部シャフト（１）の石突（４）側の中空部に投光器の電源電池（１９）及び小型ＬＥＤライト用の電源電池（２２）を嵌合保持するばね式の電池保持金具（２６）を設ける。投光器の電源電池（１９）から投光器のコード（２０）を介して投光器のスイッチ（２１）及びＬＥＤライト（１８）を接続配置する。
【００１６】  陣笠（８）は投光器（１７）の一部でＬＦＤライト（１８）の保持を兼ねた形態を有する。陣笠（８）の底面近くの中空部にＬＥＤライト（１８）の下部を嵌合固定する穴（８”）を有する反射板（８’）を設ける。陣笠（８）の下部は傘の上ロクロ（１５）上部に設けた突起筒（１５’）とねじ状に嵌合する形態を有し、陣笠（８）を回して取り外し、ＬＥＤライト（１８）を交換する為の形態を有する。
【００１７】  小型ＬＥＤライト用の電源電池（２２）から傘の骨（９）に沿って配置した小型ＬＥＤライト用のコード（２４）を介して小型ＬＥＤライト用スイッチ（２３）及び露先（１１）に設けた小型ＬＥＤライト（２５）を接続配置する。
【００１８】  下部シャフト（１）に投光器の電源電池（１９）及び小型ＬＥＤライト用の電源電池（２２）の電源電池交換用蓋（２７）を設け、蓋留めビス（２８）で上下二か所ずつ留める。
【符号の説明】
【００１９】  １    下部シャフト                      ２    上部シャフト
３    ジョイントプラグ                  ４    石突
５    グリップ                          ６    ストラップ
７    折り畳み傘                        ８    陣笠
８’  陣笠底面の反射板                  ８”  反射板の穴
９    傘の骨                            １０  傘布
１０’のぞき窓                          １１  露先
１２  傘布止めバンド                    １３  玉留め
１４  下ロクロ                          １５  上ロクロ
１５’上ロクロの突起筒                  １６  下ハジキ
１７  投光器                            １８  ＬＥＤライト
１９  投光器の電源電池                  ２０  投光器のコード
２１  投光器のスイッチ                  ２１’スイッチ用の穴
２２  小型ＬＥＤライト用の電源電池      ２３  小型ＬＥＤライトのスイッチ
２４  小型ＬＥＤライト用のコード        ２５  小型ＬＥＤライト
２６  電源電池保持金具                  ２７  電源電池交換用蓋
２８  蓋留めビス
【図１】
2019098126.tif 000003
【図２】
2019098126.tif 000004
【図３】
2019098126.tif 000005
【図４】
2019098126.tif 000006